(57)【要約】【課題】窒素ガスボンベ、コンプレッサ、加圧ポンプ等を用いることなく、系内の水を１００℃以上の特定の温度に加熱しても沸騰させないように系内の水のその温度における飽和蒸気圧より高い圧力までガスで加圧し、加熱した水の熱を外部に供給することができる新規温水熱供給システム及びその利用を提供すること。【解決手段】温水ボイラと、前記温水ボイラで加熱した水により熱を外部に供給する熱供給装置と、前記温水ボイラと前記熱供給装置との間で循環する前記水の循環路と、前記循環路内の前記水を循環させる循環ポンプと、水に難溶性のガスのハイドレートを気化させることにより、産生される気化水を産生される前記ガスで圧縮して、前記気化水を前記循環路内に圧入することにより前記循環路内を加圧するハイドレート気化装置と、を備えさせる。【選択図】図１
2007322026.tif 000002
【特許請求の範囲】
【請求項１】
温水ボイラと、
前記温水ボイラで加熱した水により熱を外部に供給する熱供給装置と、
前記温水ボイラと前記熱供給装置との間で循環する前記水の循環路と、
前記循環路内の前記水を循環させる循環ポンプと、
水に難溶性のガスのハイドレートを気化させることにより産生される気化水を、前記ハイドレートを気化させることにより産生される前記ガスで加圧し、加圧した前記気化水を利用して前記循環路内を加圧するハイドレート気化装置と、
を備えることを特徴とする温水熱供給システム。
【請求項２】
前記ハイドレート気化装置から前記気化水が圧入されることによって、タンク内の水を前記循環路内に圧入する膨張タンクをさらに備えることを特徴とする請求項１に記載の温水熱供給システム。
【請求項３】
前記水に難溶性のガスのハイドレートが、可燃性ガスのハイドレートであり、
前記温水ボイラは、前記ハイドレート気化装置で前記可燃性ガスのハイドレートを気化させることにより産生される前記可燃性ガスを燃料とすることを特徴とする請求項１又は２に記載の温水熱供給システム。
【請求項４】
前記水に難溶性のガスのハイドレートが、可燃性ガスのハイドレートであり、
前記ハイドレート気化装置で前記可燃性ガスのハイドレートを気化させることにより産生される前記可燃性ガスを燃料とするガス発電機をさらに備え、
前記温水ボイラは、前記ガス発電機が前記可燃性ガスを燃焼することにより得られる排熱を利用して前記循環路内の水を加熱することを特徴とする請求項１又は２に記載の温水熱供給システム。
【請求項５】
前記気化水の一部の冷熱を利用する熱交換器と、
前記熱交換器において冷熱を提供した前記気化水を前記ハイドレート気化装置に戻す手段と、
をさらに備えることを特徴とする請求項１〜４のいずれかに記載の温水熱供給システム。
【請求項６】
請求項１〜５のいずれかに記載の温水熱供給システムを備えた建築物。
【発明の詳細な説明】
【技術分野】
【０００１】
本発明は、系内の水をある特定の温度に加熱しても沸騰させないように系内の水のその温度における飽和蒸気圧より高い圧力までガスで加圧し、１００℃以上の温水の熱を外部に供給する温水熱供給システム及びその利用に関する。
【背景技術】
【０００２】
従来、窒素ガスボンベ、コンプレッサ、加圧ポンプ等により加圧したガスを膨張タンクに供給し、系の温水を１気圧より高い圧力まで加圧して温水ボイラで１００℃以上に加熱した温水を沸騰させないようにし、温水の熱を外部に供給するような、温水による地域暖房システム等の温水熱供給システムが開発されている（例えば、非特許文献１参照）。
【非特許文献１】地域冷暖房技術手引書，日本地域冷暖房協会，昭和５８年３月，３２−３６頁
【発明の開示】
【発明が解決しようとする課題】
【０００３】
本発明は、窒素ガスボンベ、コンプレッサ、加圧ポンプ等を用いることなく、系内の水を１００℃以上の特定の温度に加熱しても沸騰させないように系内の水のその温度における飽和蒸気圧より高い圧力までガスで加圧し、加熱した水の熱を外部に供給することができる新規温水熱供給システム及びその利用を提供することを目的とする。
【課題を解決するための手段】
【０００４】
上記課題を解決するために、本発明に係る温水熱供給システムは、温水ボイラと、前記温水ボイラで加熱した水により熱を外部に供給する熱供給装置と、前記温水ボイラと前記熱供給装置との間で循環する前記水の循環路と、前記循環路内の前記水を循環させる循環ポンプと、水に難溶性のガスのハイドレートを気化させることにより産生される気化水を、前記ハイドレートを気化させることにより産生される前記ガスで加圧し、加圧した前記気化水を利用して前記循環路内を加圧するハイドレート気化装置と、を備える。
【０００５】
本発明に係る温水熱供給システムは、前記ハイドレート気化装置から前記気化水が圧入されることによって、タンク内の水を前記循環路内に圧入する膨張タンクをさらに備えることとしてもよい。
【０００６】
また、本発明に係る温水熱供給システムは、前記気化水の一部の冷熱を利用する熱交換器と、前記熱交換器において冷熱を提供した前記気化水を前記ハイドレート気化装置に戻す手段と、をさらに備えることとしてもよい。
【０００７】
なお、前記水に難溶性のガスのハイドレートが可燃性ガスのハイドレートである場合には、前記温水ボイラが前記ハイドレート気化装置で前記可燃性ガスのハイドレートを気化させることにより産生される前記可燃性ガスを燃料として前記循環路内の水を加熱してもよいし、前記ハイドレート気化装置で前記可燃性ガスのハイドレートを気化させることにより産生される前記可燃性ガスを燃料とするガス発電機をさらに備えて、前記温水ボイラが前記ガス発電機において前記可燃性ガスを燃焼することにより得られる排熱を利用して前記循環路内の水を加熱してもよい。
【０００８】
また、前記水に難溶性のガスのハイドレートとしては、例えば、窒素ガスハイドレートや、メタンハイドレート、エタンハイドレート、プロパンハイドレート、天然ガスハイドレート等の可燃性ガスのハイドレートなど、又はこれらの混合物を用いることができる。
【０００９】
本発明に係る建築物は、上述のような温水熱交換システムを備えることを特徴とする。
【発明の効果】
【００１０】
本発明によれば、窒素ガスボンベ、コンプレッサ、加圧ポンプ等を用いることなく、系内の水を１００℃以上の特定の温度に加熱しても沸騰させないように系内の水のその温度における飽和蒸気圧より高い圧力までガスで加圧し、加熱した水の熱を外部に供給することができる新規温水熱供給システム及びその利用を提供することができる。
【発明を実施するための最良の形態】
【００１１】
以下、好ましい実施の形態につき、添付図面を用いて詳細に説明する。
【００１２】
図１は、本発明の一実施形態として説明する温水熱供給システム１００の概略構成を示す図である。図１に示すように、本発明に係る温水熱供給システム１００は、ＮＧＨ気化装置１０、循環ポンプ２０、温水ボイラ３０、熱供給装置４０などを備える。なお、温水ボイラ３０と熱供給装置４０との間においては、温水ボイラ３０と熱供給装置４０とを交互に水が循環するように構成された配管（循環路）３が設置されている。
【００１３】
温水ボイラ３０は、水を加熱する装置である。熱供給装置４０は、温水ボイラ３０によって得られた温水の熱を外部に供給する装置である。熱供給装置４０は、例えば、給湯装置、暖房装置、融雪装置などである。
【００１４】
循環ポンプ２０は、温水ボイラ３０と熱供給装置４０との間に設置された循環路３内の水を循環させる装置である。この循環ポンプ２０によって循環路３内を循環する水は、温水ボイラ３０で加熱された後、熱供給装置４０に供給されて熱を外部に提供し、再び温水ボイラ３０で加熱される。
【００１５】
ＮＧＨ気化装置１０は、天然ガスハイドレート（ＮＧＨ）を温めて気化させる装置である。ＮＧＨ気化装置１０は、装置１０内に導入されたＮＧＨを気化させることにより水（気化水）及び天然ガスを産生する。ＮＧＨ気化装置１０において産生された気化水は、産生された天然ガスにより加圧されて配管２を介して循環路３内に圧入され、循環路３内を加圧する。これにより、ＮＧＨ気化装置１０は、循環路３内の温度上昇に伴って体積が膨張した水を加圧することができ、系内の温水をその飽和圧力より高い圧力まで加圧して１００℃以上の温水を沸騰させないようにすることができるようになる。なお、循環路３内の圧力の減圧は、ＮＧＨ気化装置１０はＮＧＨの気化を中止したり、ＮＧＨ気化装置１０に溜まった水の一部を排水弁１２により排水したりすることによって行われる。
【００１６】
一方、ＮＧＨ気化装置１０において産生された天然ガスは、ガス供給弁１１を開放することにより配管１を介して温水ボイラ３０に供給され、温水ボイラ３０の燃料として使用される。
【００１７】
なお、本実施の形態の配管においては、ＮＧＨ気化装置１０に溜まった水の一部を排水弁１２によって排水できるような構成としているが、排水する水の冷熱を熱交換器で有効に利用できる構成としてもよいし、浄化槽を設けて排水する水を浄化し、飲料水として利用できる構成としてもよい。また、本実施の形態においては、配管２を介してＮＧＨ気化装置１０から循環路３内に圧入される気化水を、循環ポンプ２０の吸い込み側に供給できるような構成としているが、このような構成に制限されるものではない。
【００１８】
以上のように、本発明に係る温水熱供給システム１００は、ＮＧＨ気化装置１０を備えることによって、循環路３内の温度変化による水の体積変化を吸収することが可能となる。このように、循環路３内の水を加圧することにより、温水ボイラ３０によって１００℃以上に加熱しても沸騰を防止することが可能となり、温水ボイラ３０によって得られた温水の熱を熱供給装置４０で有効に利用することができる。
【００１９】
また、本発明の温水熱供給システム１００においては、ＮＧＨを気化させることにより得られた天然ガスを、循環路３内を加圧するために利用するだけではなく、温水ボイラ３０の燃料として使用することができる。従って、加圧ポンプ、コンプレッサ等の加圧装置や温水ボイラ３０の燃料タンクなどを別途設ける必要がないので、システム全体の規模の縮小化を図ることができ、経済的に優れているといえる。
【００２０】
さらに、本発明の温水熱供給システム１００においては、ＮＧＨを気化させることにより得られた気化水を循環路３内に補給する補給水として利用することが可能である。
【００２１】
上述の温水熱供給システム１００は、図１に示すように、熱交換器１４と、ＮＧＨ気化装置１０から循環路３内に圧入される気化水の一部を熱交換器１４に供給するポンプ１３と、気化水の一部を配管２からポンプ１３及び熱交換器１４を介してＮＧＨ気化装置１０に戻す配管４と、をさらに備えることとしてもよい。これにより、ＮＧＨを気化させることにより得られた気化水の冷熱を有効に利用することができ、冷熱を提供した気化水をＮＧＨ気化装置１０においてＮＧＨを気化させるのに利用することができる。
【００２２】
なお、上述においては、ＮＧＨ気化装置１０において加圧された気化水を循環路３内に直接圧入して循環路３内を加圧することとしているが、ＮＧＨ気化装置１０において圧縮された気化水を利用して循環路３内を加圧することとしてもよい。図２に、本発明の一実施形態において、ＮＧＨ気化装置１０において加圧された気化水を利用して循環路３内を加圧する温水熱供給システム１００の概略構成を示す。
【００２３】
図２に示すように、本発明に係る温水熱供給システム１００は、配管２に設けられた膨張タンク５０と、ＮＧＨ気化装置１０から膨張タンク５０に圧入される気化水の量を調節する水供給弁１５と、膨張タンク５０に溜まった水の一部を排水する排水弁５１と、膨張タンク５０内の水の量（水位）の変化に伴って変化する膨張タンク５０内のガススペースの圧力を所定圧に調節する圧力調節弁５２などを備える。
【００２４】
膨張タンク５０は、循環路３内の温度変化による水の体積変化を吸収する密閉式の耐圧容器である。例えば、循環路３内の温度上昇に伴って水の体積が膨張した場合には、膨張タンク５０は、ＮＧＨ気化装置１０から気化水が圧入されることによって加圧されたタンク５０内の水を循環路３内に圧入して、循環路３内を加圧する。
【００２５】
圧力調節弁５２による圧力の調節は、膨張タンク５０内の水量の変化によるガススペースの膨張・収縮に伴い、膨張タンク５０にＮＧＨを気化させることにより得られる天然ガスを配管１に接続されている配管５を介して導入したり、膨張タンク５０内の天然ガスを配管５を介して排出したりして行われる。
【００２６】
なお、上述においては、排水弁１２を設けてＮＧＨ気化装置１０に溜まった水を排水することとしているが、膨張タンク５０や排水弁５１等を設ける場合には、ＮＧＨ気化装置１０に溜まった水を膨張タンク５０に圧入して排水弁５１から排水できるので、排水弁１２を設けなくてもよい。
【００２７】
以上のように、ＮＧＨ気化装置１０に循環路３内の温度変化による水の体積変化を吸収する機能を設けなくても、本発明に係る温水熱供給システム１００に膨張タンク５０の機能を設けることにより、循環路３内の水を温水ボイラ３０によって１００℃以上に加熱しても沸騰を防止することが可能となる。
【００２８】
なお、本実施の形態においては、ＮＧＨ気化装置１０において発生した天然ガスを、燃料として温水ボイラ３０に配管１を介して供給し、循環路３内を循環する水を加熱しているが、ガスタービン、ガスエンジン等のガス発電機の燃料として供給し、ガス発電機が天然ガスを燃焼することにより得られる排熱を利用して温水ボイラ３０が循環路３内の水を加熱してもよい。これにより、ガス発電機により発電した電気も利用することができるようになり、エネルギーの有効利用を図ることができる。
【００２９】
また、本実施の形態においては、ＮＧＨを気化させるＮＧＨ気化装置１０を本発明に係る温水熱供給システム１００に設けることとしているが、ＮＧＨ以外のメタンハイドレート、エタンハイドレート、プロパンハイドレート等の可燃性ガスのハイドレートを気化させるハイドレート気化装置を設けることとしてもよいし、ハイドレートを気化させることにより発生したガスをボイラ等の燃料として使用しない場合には、窒素ガスハイドレートなどの水に難溶性、好ましくは不溶性のガスハイドレートを気化させるハイドレート気化装置を設けることとしてもよい。
【００３０】
上述のような温水熱供給システム１００は、マンション等の建築物における給湯システム、暖房システム、冷暖房システム等として有用であり、また、道路や線路等の融雪システムとしても有用である。
【図面の簡単な説明】
【００３１】
【図１】本発明の一実施形態として説明する温水熱供給システムの全体構成を示す図である。
【図２】本発明の一実施形態において、ＮＧＨ気化装置において圧縮された気化水を利用して循環路内を加圧する温水熱供給システムの全体構成を示す図である。
【符号の説明】
【００３２】
１〜５  配管
１０  ＮＧＨ気化装置
１１  ガス供給弁
１２，５１  排水弁
１３  ポンプ
１４  熱交換器
１５  水供給弁
２０  循環ポンプ
３０  温水ボイラ
４０  熱供給装置
５０  膨張タンク
５２  圧力調節弁
１００  温水熱供給システム
【図１】
2007322026.tif 000003
【図２】
2007322026.tif 000004